(57)【要約】【課題】外部の機器との接続有無に応じてガンマ特性を切り替えてガンマ補正処理を行うことができる撮像装置を提供する。【解決手段】映像信号を生成するイメージセンサーと、得られた映像信号にガンマ補正処理を施すガンマ補正処理部と、ガンマ補正処理された映像信号を外部機器に送信する無線インタフェースとを有し、外部機器に映像信号を送信する場合、第１のガンマ特性で映像信号にガンマ補正処理を施し、外部機器への映像信号の送信を行わない場合、第１のガンマ特性とは異なる第２のガンマ特性で映像信号にガンマ補正処理を施す。【選択図】図３
2017092635.tif 000002
【特許請求の範囲】
【請求項１】
映像信号を生成する撮像手段と、
前記撮像手段により得られた映像信号にガンマ補正処理を施す補正処理手段と、
前記補正処理手段により前記ガンマ補正処理された映像信号を外部機器に送信する送信手段とを有し、
前記補正処理手段は、前記送信手段を介して外部機器に前記映像信号を送信する場合、第１のガンマ特性で前記映像信号にガンマ補正処理を施し、前記送信手段を介した外部機器への前記映像信号の送信を行わない場合、前記第１のガンマ特性とは異なる第２のガンマ特性で前記映像信号にガンマ補正処理を施すことを特徴とする撮像装置。
【請求項２】
前記送信手段を介して外部機器が通信可能に接続されたか否かを判別する判別手段を有し、
前記判別手段で判別した結果に基づいて、前記ガンマ補正処理を前記第１のガンマ特性で施すか、前記第２のガンマ特性で施すかを切り替えることを特徴とする請求項１記載の撮像装置。
【請求項３】
前記第１のガンマ特性は、映像における一部の輝度の領域についてコントラストを圧縮する特性であり、
前記第２のガンマ特性は、映像における輝度の全領域についてコントラストを圧縮することをしない特性であることを特徴とする請求項１又は２記載の撮像装置。
【請求項４】
前記第２のガンマ特性は、映像信号が送信される外部機器のガンマ特性と合わせてリニアとなる特性であることを特徴とする請求項１又は２記載の撮像装置。
【請求項５】
前記第１のガンマ特性は、映像における一部の輝度の領域についてコントラストを圧縮する特性であり、
前記第２のガンマ特性は、映像におけるコントラストを圧縮することをせずに、入力コードに対する出力コードの関係を一定に保ち、輝度に対するコードの割り振りを固定した特性であることを特徴とする請求項１又は２記載の撮像装置。
【請求項６】
前記判別手段は、外部機器との通信が確立したか、外部機器へ映像信号の送信を開始したか、外部機器側で映像信号の記録を開始したかの何れかの条件で、外部機器が通信可能に接続されたか否かを判別することを特徴とする請求項２記載の撮像装置。
【請求項７】
前記補正処理手段は、前記送信手段を介して外部機器に送信する前記映像信号だけ前記第２のガンマ特性で前記ガンマ補正処理を施すことを特徴とする請求項１〜６の何れか１項に記載の撮像装置。
【請求項８】
映像信号を生成する撮像手段により得られた映像信号にガンマ補正処理を施す補正処理工程と、
前記補正処理工程にて前記ガンマ補正処理された映像信号を、送信手段を介して外部機器に送信する送信工程とを有し、
前記補正処理工程では、前記送信手段を介して外部機器に前記映像信号を送信する場合、第１のガンマ特性で前記映像信号にガンマ補正処理を施し、前記送信手段を介した外部機器への前記映像信号の送信を行わない場合、前記第１のガンマ特性とは異なる第２のガンマ特性で前記映像信号にガンマ補正処理を施すことを特徴とする信号処理方法。
【発明の詳細な説明】
【技術分野】
【０００１】
本発明は、撮像装置及び信号処理方法に関する。
【背景技術】
【０００２】
被写体を撮像装置で撮影し、その映像を表示装置に表示する際、撮影時に撮像装置において、撮像装置のガンマ特性に基づき被写体輝度をコード値に変換することで被写体の階調を映像信号に変換する。そして、表示時に表示装置において、表示装置のガンマ特性に基づき映像信号のコード値を出力輝度値に変換する。このようにすることで、非常に広いダイナミックレンジを持つ実世界の被写体のうち、限られた明るさの範囲を切り出し、表示装置の限定的な狭いダイナミックレンジの中におさめて表示することができる。
【０００３】
撮像装置において実用的な入力ダイナミックレンジを確保するために、ニー補正処理を用いて入力ダイナミックレンジを広げる工夫がなされている（特許文献１参照）。図７は、従来の撮像装置のガンマ特性を説明するための図である。図７（Ａ）において、７０１は入力ダイナミックレンジが０〜Ｘ1であるガンマ特性であり、例えばＩＴＵ−Ｒ  ＢＴ．７０９等で規格化されているガンマ特性である。７０２は入力ダイナミックレンジが０〜Ｘ2（Ｘ2＞Ｘ1）であるガンマ特性であり、入力ダイナミックレンジを実用的な範囲に広げた場合を表している。
【０００４】
図７（Ａ）に示すように、従来の撮像装置のガンマ特性７０２は、映像における中輝度部から高輝度部の領域のコントラストを圧縮する特性となっている。しかしながら、図７（Ｂ）に示すように、撮像装置のガンマ特性７１１と表示装置のガンマ特性７１２とを合わせたシステム全体での階調特性７１３は、低輝度部に対して高輝度部のコントラストが圧縮された不自然な階調特性となってしまう。したがって、表示装置に表示される映像の階調特性は、実被写体の階調特性に対して高輝度部の輝度変化が減少してしまい、リアリティーが損なわれる結果となっていた。
【０００５】
表示される映像の階調特性では高輝度部の輝度変化が減少してしまうという問題に対して、表示時に表示装置において高輝度部分の明るさを持ち上げることで高輝度部のコントラスト圧縮を補う技術がある。しかしながら、撮像装置での記録段階で映像における中輝度部から高輝度部の階調情報が減少しているため、表示装置側の処理のみでは十分な階調特性を得ることができない。また、表示装置において、撮像装置のガンマ特性は未知であるため、正確に階調特性を復元することができない。
【先行技術文献】
【特許文献】
【０００６】
【特許文献１】特開２００２−２２３３７３号公報
【発明の概要】
【発明が解決しようとする課題】
【０００７】
上述したように、接続される外部の表示装置によっては映像の階調特性が不自然になるという課題があった。本発明の目的は、表示映像が不自然になることを避けるため、外部の機器との接続有無に応じてガンマ特性を切り替えてガンマ補正処理を行うことができる撮像装置を提供することである。
【課題を解決するための手段】
【０００８】
本発明に係る撮像装置は、映像信号を生成する撮像手段と、前記撮像手段により得られた映像信号にガンマ補正処理を施す補正処理手段と、前記補正処理手段により前記ガンマ補正処理された映像信号を外部機器に送信する送信手段とを有し、前記補正処理手段は、前記送信手段を介して外部機器に前記映像信号を送信する場合、第１のガンマ特性で前記映像信号にガンマ補正処理を施し、前記送信手段を介した外部機器への前記映像信号の送信を行わない場合、前記第１のガンマ特性とは異なる第２のガンマ特性で前記映像信号にガンマ補正処理を施すことを特徴とする。
【発明の効果】
【０００９】
本発明によれば、外部機器に映像信号を送信する場合には、外部機器に映像信号を送信しない場合とは異なるガンマ特性でガンマ補正処理を施し、外部機器との接続有無に応じてガンマ特性を切り替えてガンマ補正処理を行うことが可能となる。
【図面の簡単な説明】
【００１０】
【図１】第１の実施形態における撮像装置の概略構成例を示す図である。
【図２】第１の実施形態における撮像装置の外観を示す斜視図である。
【図３】第１の実施形態における撮像装置の動作例を示すフローチャートである。
【図４】第１の実施形態における階調特性を説明するための図である。
【図５】第２の実施形態における撮像装置の概略構成例を示す図である。
【図６】第２の実施形態における撮像装置の動作例を示すフローチャートである。
【図７】従来の撮像装置のガンマ特性を説明するための図である。
【図８】本実施形態における撮像装置のガンマ特性を説明するための図である。
【発明を実施するための形態】
【００１１】
以下、本発明の実施形態を図面に基づいて説明する。
まず、本発明に至る参考技術について説明する。前述したように図７（Ａ）に示した撮像装置のガンマ特性を適用し、表示装置において高輝度部分の明るさを持ち上げて高輝度部のコントラスト圧縮を補う方法では、表示装置側の処理のみではシステム全体の階調特性として十分な階調特性を得ることができない。
【００１２】
これに対して、図８（Ａ）に示すような撮像装置のガンマ特性を適用する方法が考えられる。すなわち、撮像装置でのガンマ補正処理でコントラストを圧縮することをせずに、入力コードに対する出力コードの関係を一定に保ち、映像における低輝度部から高輝度部までのビットの割り振りを固定して記録し、さらに表示装置のガンマ特性を適切に設定する。これにより、撮像装置と表示装置とのシステム全体において良好な階調特性を得ることができ、画質向上を実現することが可能となる。
【００１３】
以下、図８を参照して説明する。図８（Ａ）において、８０１は入力ダイナミックレンジが０〜Ｘ1であるガンマ特性であり、例えばＩＴＵ−Ｒ  ＢＴ．７０９等で規格化されているガンマ特性である。８０２は入力ダイナミックレンジが０〜Ｘ2（Ｘ2＞Ｘ1）であるガンマ特性であり、入力ダイナミックレンジを実用的な範囲に広げた場合を表している。
【００１４】
ガンマ特性８０２は、ガンマ特性８０１を基準にした場合、コントラストを圧縮することをせずに、入力コードに対する出力コードの関係を一定に保ち、映像における低輝度部から高輝度部までのビットの割り振りを固定する特性となっている。そのため、図８（Ｂ）に示すように、撮像装置のガンマ特性８１１と表示装置のガンマ特性８１２とを合わせたシステム全体での階調特性８１３は、一部の領域に対してコントラストが圧縮されることはない。
【００１５】
この方式によれば、撮像装置のガンマ特性と表示装置のガンマ特性とを合わせたシステム全体での階調特性を、映像における低輝度部から高輝度部までの全領域において被写体輝度に対しリニアな特性にすることができる。これにより、暗部からハイライト部まで全域で、より自然な階調性、色再現性、鮮鋭感を実現することが可能となる。
【００１６】
しかしながら、この場合の表示装置で表示される輝度は、ガンマ特性８１２に示すように表示装置のガンマ特性が表示画像の輝度を高くする設定になっている場合に実現できる。例えば、図８（Ｃ）に示すように表示装置のガンマ特性８２２が表示時の輝度が低い通常輝度の設定となっている場合、撮像装置のガンマ特性８２１と合わせたシステム全体での階調特性８２３は、全体として表示される輝度が低くなり、暗い映像となる。
【００１７】
また、モバイル機器と接続し、画角やフォーカスを確認するためにモバイル機器へ撮影画像を送信したり、さらにはモバイル機器側で受信し画像を記録したりすることを可能にしたカメラ等の撮像装置が実用化されている。図８（Ａ）に示したような撮像装置のガンマ特性８０２を適用した画像は、モバイル機器側での輝度を上げることで期待する画質を得ることが可能となる。
【００１８】
しかし、近年のモバイル機器においては、バッテリ消費を低減するために表示時の輝度を低く設定している場合が多く、モバイル機器側での輝度を上げることで期待する画質を得ることは難しい。また、モバイル機器側での表示時の輝度を高く設定する性能にもばらつきがあり、期待する画質を得にくい。以下に説明する実施形態では、撮像装置に接続された外部機器があるか否かに応じて撮像装置のガンマ特性を設定し、適切な輝度で機器側での表示を可能にする。
【００１９】
（第１の実施形態）
本発明の第１の実施形態について説明する。
図１は、第１の実施形態における撮像装置の概略構成例を示す図である。レンズ１０１の後方に絞り１０２が配置されている。レンズ１０１及び絞り１０２を介した光は、イメージセンサー１０５の結像面上に被写体像として結像される。イメージセンサー１０５は、結像された被写体像を光信号から映像信号に変換することで映像信号を生成する。
【００２０】
イメージセンサー１０５により得られた映像信号は、信号処理部１１２に送られる。信号処理部１１２は、ホワイトバランス補正処理部１０７、エッジ強調処理部１０８、ガンマ補正処理部１０９、及び輝度／色情報検出部１１０を有する。ホワイトバランス補正処理部１０７は、カメラマイコン１１１による制御に従って、映像信号に対してホワイトバランス補正処理を施す。エッジ強調処理部１０８は、カメラマイコン１１１による制御に従って、映像信号に対してエッジ強調処理を施す。ガンマ補正処理部１０９は、カメラマイコン１１１による制御に従って、映像信号に対してガンマ補正処理を施す。信号処理部１１２において信号処理を施された映像信号は、ディスプレイ１１６に出力されるか、磁気テープ１１５、ＤＶＤディスク１１７、あるいはメモリカード１１８に記録される。
【００２１】
輝度／色情報検出部１１０は、画像を水平、垂直方向に分割して、複数の輝度／色情報検出枠を設定し、輝度／色情報検出枠内の画素値を積分することで、被写体の各検出枠における輝度情報及び色情報を検出する。輝度／色情報検出部１１０によって検出された輝度情報及び色情報は、カメラマイコン１１１に送られる。カメラマイコン１１１は、取得した輝度情報や色情報等を用いて、ホワイトバランス補正処理、エッジ強調処理、ガンマ補正処理に用いる補正値を算出する。カメラマイコン１１１により算出した補正値に基づき、信号処理部１１２でのホワイトバランス補正処理、エッジ強調処理、及びガンマ補正処理が行われる。
【００２２】
ここで、ガンマ補正処理部１０９でのガンマ補正処理に用いられる撮像装置のガンマ特性は、撮像装置における撮影モード等に応じて切り替えられる。例えば、撮影モードが高輝度優先モードであれば、撮像装置のガンマ特性として高輝度優先用のガンマ補正カーブを適用し、撮影モードが通常撮影モードであれば、撮像装置のガンマ特性として通常撮影用のガンマ補正カーブを適用する。高輝度優先用のガンマ補正処理については、後で詳しく述べる。また、信号処理部１１２におけるホワイトバランス補正処理、エッジ強調処理、ガンマ補正処理、輝度／色情報検出処理以外の処理部等については、ここでは図示しない。
【００２３】
さらに、カメラマイコン１１１は、イメージセンサー制御部１０６を通じて、イメージセンサー１０５の蓄積、読み出し等の制御を行う。また、レンズ制御部１０３を通じて、レンズ１０１のフォーカス、ズーム等の制御を行う。また、輝度／色情報検出部１１０によって検出された輝度情報及び色情報を基に、絞り制御部１０４を通じて、絞り１０２の制御を行い、また、イメージセンサー制御部１０６を通じて、シャッタースピードの制御を行うことで、露出制御を行う。また、レンズ制御部１０３を通じてレンズ１０１を駆動するか、あるいは信号処理部１１２を制御することで、使用者の撮影時の手ぶれを補正する。
【００２４】
さらに、カメラマイコン１１１は、無線Ｉ／Ｆ（インタフェース）１１９を通じて、無線によって通信可能に接続された外部機器があるか否かを判別する。また、カメラマイコン１１１は、無線Ｉ／Ｆ（インタフェース）１１９を通じて、接続された外部機器からのコマンドを受けて本体内での処理を行ったり、撮影によって得られた映像信号の外部機器への送信を行ったりする。
【００２５】
図２は、第１の実施形態における撮像装置の外観を示す斜視図である。２００は撮像装置本体である。撮像装置本体２００内部には、ＤＶＤディスク、磁気テープ及びメモリカード等の記録媒体が収納され、映像信号（動画像／静止画像）を記録再生できるようになっている。２０１はレンズ部である。２０２はマイクであり、撮影時の音声を記録する。２０３は電子式ビューファインダ（ＥＶＦ）であり、覗き込むことにより撮影時に被写体を狙ったり確認したりすることが可能となっている。
【００２６】
２０４は動画用トリガースイッチである。動画用トリガースイッチ２０４は、例えばプッシュボタンであり、動画撮影の開始及び終了を機器に伝達するために使用者が操作するスイッチである。２０５は静止画用トリガースイッチである。静止画用トリガースイッチ２０５は、例えばプッシュボタンであり、静止画撮影の開始及び終了を機器に伝達するために使用者が操作するスイッチである。
【００２７】
２０６はモードダイヤルであり、例えば回転式のスイッチからなる。モードダイヤル２０６では、例えば再生モードに設定する“再生”、カメラモードに設定する“カメラ”及びその何れでもない“ＯＦＦ”の何れかを選択できる。２０７は操作スイッチ群であり、使用者が本体を操作するため、画質フィルタモードを入力するためのキーや、その他のメニュー操作や再生系の操作等のためのキーが配置されている。
【００２８】
２０８は本体側面に開閉自在となるように取り付けられた液晶パネルであり、ＥＶＦ２０３と同様に、撮影時には被写体像の確認、再生時には再生画像の表示に主に使用される。液晶パネル２０８は、本体１２０から開いている状態で、さらに水平方向にも回転可能になっている。２０９はスピーカであり、再生するときに音声を出力するために設けられている。２１０はバッテリであり、本体１２０と着脱可能になっている。また、図２では示していないが、本体内部には外部機器等と無線通信を行うための無線モジュールが内蔵されており、外部機器等との通信が可能となっている。
【００２９】
次に、第１の実施形態における撮像装置のカメラマイコン１１１による高輝度優先モード時のガンマ補正処理及びメタデータ記録処理について、図３のフローチャートを参照して説明する。図３は、第１の実施形態における撮像装置の動作例を示すフローチャートである。
【００３０】
撮像装置における映像信号の階調補正処理が開始されると、ステップＳ３０１にて、カメラマイコン１１１は、入力ダイナミックレンジを決定する。ここでの入力ダイナミックレンジは、撮像装置における撮影モードによって予め設定された所定値、又は輝度／色情報検出部１１０によって検出された輝度情報及び色情報を基に算出された値である。次に、ステップＳ３０２にて、カメラマイコン１１１は、輝度／色情報検出部１１０によって検出された輝度情報及び色情報を基に露出制御を行う。
【００３１】
続いて、ステップＳ３０３にて、カメラマイコン１１１は、撮像装置本体が無線通信モードであるか否かを判別する。無線通信モードであるか否かの判別は、次の＜１＞〜＜３＞の何れかの条件を、無線Ｉ／Ｆ１１９を用いてカメラマイコン１１１が判別し、無線通信モードであるか否かを決定している。
＜１＞外部機器との通信が確立した場合
＜２＞外部機器へ画像情報の送信を開始した場合
＜３＞外部機器側で送信した画像の記録を開始した場合
【００３２】
無線通信モードでないと判別した場合（ステップＳ３０３のＮｏ）、ステップＳ３０４にて、カメラマイコン１１１は、撮影モードが高輝度優先モードであるか否かを判断する。撮影モードが高輝度優先モードであると判断した場合（ステップＳ３０４のＹｅｓ）、ステップＳ３０５にて、カメラマイコン１１１は、ガンマ補正処理に用いるガンマ特性を高輝度優先用のガンマ補正カーブに決定する。さらに、ステップＳ３０６にて、カメラマイコン１１１は、高輝度優先モードに対応したメタデータの記録を行う。ここで、記録するメタデータは、高輝度優先モードを表すためのフラグ、入力ダイナミックレンジ、予め設定された表示輝度の基準値に対する倍率、ピーク輝度値、撮像装置のガンマ特性情報、撮像装置のベースガンマ等である。
【００３３】
一方、無線通信モードであると判別した場合（ステップＳ３０３のＹｅｓ）、又は無線モードではなく撮影モードが高輝度優先モードではない、すなわち通常撮影モードであると判断した場合（ステップＳ３０４のＮｏ）、ステップＳ３０７へ進む。ステップＳ３０７にて、カメラマイコン１１１は、ガンマ補正処理に用いるガンマ特性を通常撮影用のガンマ補正カーブに決定する。さらに、ステップＳ３０８にて、カメラマイコン１１１は、通常撮影モードに対応したメタデータの記録を行う。ここで、記録するメタデータは、通常撮影モードを表すためのフラグ、入力ダイナミックレンジ、予め設定された表示輝度の基準値に対する倍率、ピーク輝度値、撮像装置のガンマ特性情報、撮像装置のベースガンマ等である。
【００３４】
次に、ステップＳ３０９にて、カメラマイコン１１１は、決定したガンマ特性に基づいて映像信号に対するガンマ補正処理を行い、階調補正処理を終了する。カメラマイコン１１１は、前述した階調補正処理を撮像装置に供給される電源が切断されて制御が終了するまで繰り返す。
【００３５】
図４には、高輝度優先モード用のガンマ補正カーブを適用した場合、及び通常撮影用のガンマ補正カーブを適用した場合におけるシステム全体での階調特性について示している。高輝度優先モード用のガンマ補正カーブを適用した場合、表示装置側において輝度調整を実施すれば、高輝度優先モードで撮影された画像は、期待する表示出力の特性４０１を得ることができる。しかし、表示装置側において輝度調整を行わないと、表示出力の特性４０２で示されるように、輝度の低い暗い画像となる。一方、通常撮影用のガンマ補正カーブを適用した場合、表示出力は特性４０３で示されるように、高輝度部分での伸びが悪いが、特性４０２での表示出力に比べて低中間輝度部分の輝度が高く表示され、よりよい品質で表示することができる。図４に示す表示出力の特性から、輝度調整に制限の多いモバイル機器での表示される画像としては、通常撮影モードのガンマ特性、すなわち通常撮影用のガンマ補正カーブを適用した場合の方が優位性があることが分かる。
【００３６】
第１の実施形態によれば、撮像装置に対して外部機器が接続された場合、通常撮影モードのガンマ特性、すなわち通常撮影用のガンマ補正カーブを適用してガンマ補正処理を行い、外部機器に映像信号を送信する。これにより、外部機器に映像信号を送信する場合には、通常撮影モードのガンマ特性でガンマ補正処理を施すことができ、外部機器との接続有無に応じてガンマ特性を切り替えてガンマ補正処理を行うことが可能となる。したがって、システム全体の特性がリニアとなるようにガンマ特性を合わせこむことが困難な外部機器が接続されたとしても、通常撮影モードのガンマ特性を適用することで、外部機器にて表示される映像が暗くなることを防ぐことが可能となる。
【００３７】
次に、本発明の第２の実施形態について説明する。以下では、第２の実施形態において、前述した第１の実施形態と異なる点についてのみ説明する。図５は、第２の実施形態における撮像装置の概略構成例を示す図である。図５において、図１に示した構成要素と同一の機能を有する構成要素には同一の符号を付し、重複する説明は省略する。
【００３８】
第２の実施形態では、信号処理部１１２は、２つのガンマ補正処理部１０９Ａ、１０９Ｂを有する。ガンマ補正処理部１０９Ａ、１０９Ｂは、映像信号に対して互いに異なるガンマ特性でガンマ補正処理を施すことが可能となっており、ガンマ補正処理部１０９−２でガンマ補正処理された映像信号は無線Ｉ／Ｆ１１９を経由して外部機器へ送信されることになる。
【００３９】
次に、第２の実施形態における撮像装置の動作について、図６のフローチャートを参照して説明する。図６は、第２の実施形態における撮像装置の動作例を示すフローチャートである。撮像装置における映像信号の階調補正処理が開始されると、ステップＳ６０１にて、カメラマイコン１１１は、入力ダイナミックレンジを決定する。ここでの入力ダイナミックレンジは、撮像装置における撮影モードによって予め設定された所定値、又は輝度／色情報検出部１１０によって検出された輝度情報及び色情報を基に算出された値である。次に、ステップＳ６０２にて、カメラマイコン１１１は、輝度／色情報検出部１１０によって検出された輝度情報及び色情報を基に露出制御を行う。
【００４０】
続いて、ステップＳ６０３にて、カメラマイコン１１１は、撮影モードが高輝度優先モードであるか否かを判断する。撮影モードが高輝度優先モードであると判断した場合（ステップＳ６０３のＹｅｓ）、ステップＳ６０４にて、カメラマイコン１１１は、ガンマ補正処理部１０９Ａで実施するガンマ補正処理に用いるガンマ特性を高輝度優先用のガンマ補正カーブに決定する。さらに、ステップＳ６０５にて、カメラマイコン１１１は、高輝度優先モードに対応したメタデータの記録を行う。ここで、記録するメタデータは、高輝度優先モードを表すためのフラグ、入力ダイナミックレンジ、予め設定された表示輝度の基準値に対する倍率、ピーク輝度値、撮像装置のガンマ特性情報、撮像装置のベースガンマ等である。
【００４１】
一方、撮影モードが高輝度優先モードではなく通常撮影モードであると判断した場合（ステップＳ６０３のＮｏ）、ステップＳ６０６へ進む。ステップＳ６０６にて、カメラマイコン１１１は、ガンマ補正処理部１０９Ａで実施するガンマ補正処理に用いるガンマ特性を通常撮影用のガンマ補正カーブに決定する。さらに、ステップＳ６０７にて、カメラマイコン１１１は、通常撮影モードに対応したメタデータの記録を行う。ここで、記録するメタデータは、通常撮影モードを表すためのフラグ、入力ダイナミックレンジ、予め設定された表示輝度の基準値に対する倍率、ピーク輝度値、撮像装置のガンマ特性情報、撮像装置のベースガンマ等である。
【００４２】
次に、ステップＳ６０８にて、カメラマイコン１１１は、決定したガンマ補正特性に基づいてガンマ補正処理部１０９Ａで映像信号に対するガンマ補正処理を行う。その後、ステップＳ６０９にて、カメラマイコン１１１は、撮像装置本体が無線通信モードであるか否かを判別する。無線通信モードであるか否かの判別は、第１の実施形態と同様に行う。
【００４３】
無線通信モードであると判別した場合（ステップＳ６０９のＹｅｓ）、ステップＳ６１０にて、カメラマイコン１１１は、ガンマ補正処理部１０９Ｂで実施するガンマ補正処理に用いるガンマ特性を通常撮影用のガンマ補正カーブに決定する。なお、無線通信モードでないと判別した場合（ステップＳ６０９のＮｏ）、ステップＳ６１０の処理はスキップされる。
【００４４】
次に、ステップＳ６１１にて、カメラマイコン１１１は、決定したガンマ補正特性に基づいてガンマ補正処理部１０９Ｂで映像信号に対するガンマ補正処理を行い、階調補正処理を終了する。カメラマイコン１１１は、前述した階調補正処理を撮像装置に供給される電源が切断されて制御が終了するまで繰り返す。
【００４５】
第２の実施形態によれば、撮像装置に対して外部機器が接続された場合、少なくとも外部機器に送信する映像信号だけは、通常撮影モードのガンマ特性を適用してガンマ補正処理を行い、外部機器に送信する。これにより、外部機器には通常撮影モードのガンマ特性でガンマ補正処理した映像信号が送信されるので、システム全体の特性がリニアとなるようにガンマ特性を合わせこむことが困難な外部機器であっても、表示映像が暗くなることを防ぐことが可能となる。
【００４６】
（本発明の他の実施形態）
本発明は、前述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００４７】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００４８】
１０５：イメージセンサー  １０６：イメージセンサー制御部  １０７：ホワイトバランス処理部  １０８：エッジ強調処理部  １０９、１０９Ａ、１０９Ｂ：ガンマ補正処理部  １１０：輝度／色情報検出部  １１１：カメラマイコン  １１２：信号処理部  １１９：無線Ｉ／Ｆ（インタフェース）
【図１】
2017092635.tif 000003
【図２】
2017092635.tif 000004
【図３】
2017092635.tif 000005
【図４】
2017092635.tif 000006
【図５】
2017092635.tif 000007
【図６】
2017092635.tif 000008
【図７】
2017092635.tif 000009
【図８】
2017092635.tif 000010